(57)【特許請求の範囲】
【請求項１】
音声信号を記録媒体に記録再生可能な記録再生装置において、
音声信号を記録媒体のユーザ記録領域にトラック単位で記録し再生する音声信号記録再生手段と、
音声信号が記録された記録トラックの目次情報を記録媒体のUTOC領域に記録再生する目次情報記録再生手段と、
前記記録トラックのトラック番号を指定する操作手段と、
前記音声信号記録再生手段及び目次情報記録再生手段を制御する制御手段とを有し、
前記制御手段は、前記操作手段により指定した記録トラックを削除する場合、記録媒体のリードアウトエリアに無音データが記録されているか否かを確認し、リードアウトエリアに無音データが記録されていることを確認したときは、リードアウトエリアの無音データが記録されている領域に記録トラックを作成し、
記録媒体のリードアウトエリアに無音データが記録されていないことを確認したときは、リードアウトエリアに無音データを記録した後に無音データが記録されている領域に記録トラックを作成し、当該記録トラックに削除する記録トラックのトラック番号を割り当て、削除する記録トラックを記録可能エリアまたは空きエリアとするように目次情報を変更し、記録媒体に変更した目次情報を記録するよう前記目次情報記録再生手段を制御することを特徴とする記録再生装置。
【請求項２】
請求項１に記載の記録再生装置において、
前記制御部は、リードアウトエリアに無音データを記録したか否かを示す情報を記録媒体に記録する制御することを特徴とする記録再生装置。
【請求項３】
請求項１又は請求項２に記載の記録再生装置において、
記録媒体のリードアウトエリアに作成する記録トラックは、１トラックあたり１サウンドグループ以上の容量であることを特徴とする記録再生装置。
【発明の詳細な説明】
【０００１】
【発明の属する技術分野】
本発明は、音声信号等のデータを記録及び再生する記録再生装置に関する。
【従来の技術】
【０００２】
記録媒体がミニディスク（以下、ＭＤと呼ぶ。）を例にして従来技術を説明する。従来技術として、特開平０８−１０２１７３号公報（編集装置）にＭＤ記録再生装置が開示されている。ＭＤに記録された音声信号を再生する場合は、光ピックアップで読み出した信号を復調回路で復調した後、ＭＤフォーマットの圧縮データとしてバッファメモリ（記憶回路）に格納する。次に、バッファメモリ（記憶回路）から圧縮データを読み出し伸張回路に入力しデータを伸長する。伸張されたデータは音声信号データとしてデジタル−アナログ変換器（ＤＡＣ）に入力され、アナログ音声信号に変換される。
【０００３】
ＭＤフォーマットでは記録再生する情報量を５分の１程度に圧縮するため、ディスクから読み出すデータの転送レートが１．４Ｍビット／秒であっても、音声信号として復調するためにはバッファメモリ（記憶回路）から読み出すデータが０．３Ｍビット／秒であれば足りる。従って、バッファメモリ（記憶回路）にデータを蓄積しておけば、蓄積したデータに相当する時間分の音声信号を再生することができる。
【０００４】
したがって、装置に外部振動が加わって、光ピックアップのトレースが本来の位置からずれたとき、例えば非圧縮データを記録したコンパクトディスク（ＣＤ）の再生の場合、音声信号データの連続性がなくなり音飛びとなってしまうが、ＭＤの再生の場合バッファメモリ（記憶回路）から圧縮データを読み出して連続で音声を出力している間に、光ピックアップがＭＤ上の本来の位置に復帰して信号の読み出しを続行すれば、音飛びは発生しない。
【０００５】
記録（音声信号の録音）する場合には、前述のバッファメモリ（記憶回路）の空き容量が記録するデータ量に対してゆとりがある間にＭＤに記録すれば、音声が途絶えて記録されることはない。記録の場合には、再生とは逆に、記録していない圧縮データがバッファメモリ（記憶回路）に蓄積して増えていかないようにコントロールして、ＭＤへの記録を行う。
【０００６】
また、ＭＤを利用したシステムの場合、一つのトラック（曲）が複数の小トラック記録データ（ＭＤ上で連続した領域から成る小トラック記録データがＭＤディスク上で複数個分散して存在する）から成っているが、これらのトラック（曲）の構成情報は、各トラック毎に記録される。それらの情報は、目次情報としてＭＤの所定の領域に記録登録する。以下、目次情報を記録する所定の領域を、ＵＴＯＣ（User's Table of Contents）エリアと呼ぶ。
【０００７】
このＵＴＯＣエリアには各トラックの構成情報の他に、各トラックに記録した年、月及び日時情報や、ミニディスクの名称やトラックの名称等の付加情報等を記録登録することが出来る。このＵＴＯＣを更新することによって、トラックの接続や、トラックの移動、トラックの分割、トラックの削除等を行うことができる。
【０００８】
特に、複数のトラックが記録されたＭＤから指定したトラックを削除する場合、削除したトラックよりあとのトラック番号が１個づつずれてしまう。この結果、ＭＤの記録内容をトラック番号で管理していると、番号がずれたことに気付かずに、目的とするトラックとは別のトラックを誤って削除してしまう等の誤操作をしてしまうことがあり、使用しづらいことがあった。
【０００９】
また、不要なトラックを削除する際には、削除しようとするトラックを再生し、試聴して確認した後でトラック削除を行うというような複雑な手順を必要とした操作をしなければならなかった。
【００１０】
【発明が解決しようとする課題】
上述の従来技術では、前述の誤操作をしたり複雑な手順の操作を行っていた。本発明では、叙上の問題点を解決するために成されたもので、誤操作しにくいトラック削除を可能とし、操作性を向上した記録再生装置を得ることを目的とする。
【００１１】
【課題を解決するための手段】
本発明は、音声信号を記録媒体に記録再生可能な記録再生装置において、音声信号を記録媒体のユーザ記録領域にトラック単位で記録し再生する音声信号記録再生手段と、音声信号が記録された記録トラックの目次情報を記録媒体のUTOC領域に記録再生する目次情報記録再生手段と、前記記録トラックのトラック番号を指定する操作手段と、前記音声信号記録再生手段及び目次情報記録再生手段を制御する制御手段とを有し、前記制御手段は、前記操作手段により指定した記録トラックを削除する場合、記録媒体のリードアウトエリアに無音データが記録されているか否かを確認し、リードアウトエリアに無音データが記録されていることを確認したときは、リードアウトエリアの無音データが記録されている領域に記録トラックを作成し、記録媒体のリードアウトエリアに無音データが記録されていないことを確認したときは、リードアウトエリアに無音データを記録した後に無音データが記録されている領域に記録トラックを作成し、当該記録トラックに削除する記録トラックのトラック番号を割り当て、削除する記録トラックを記録可能エリアまたは空きエリアとするように目次情報を変更し、記録媒体に変更した目次情報を記録するよう前記目次情報記録再生手段を制御することを特徴とする。
【００１６】
【発明の実施の形態】
本発明の記録再生装置の一実施例としてＭＤ記録再生装置について説明する。図１は、本発明の一実施例を示すＭＤ記録再生装置の系統図である。図１において、ＭＤ記録再生装置内に装填されたＭＤ１は、ターンテーブル２Ｂ上で回転する。サーボ制御回路３によってスライドモータ１８とスピンドルモータ２Ａを制御し、光ピックアップ４によりＭＤ１から読み出した再生信号を、ヘッドアンプ５で増幅し、ＥＦＭ（Eight to Fourteen Modulation）／ＡＣＩＲＣ（Advanced Cross Interleave Reed-Solomon Code）変調・復調回路７で復調する。
【００１７】
次に、復調した圧縮データは、耐震用メモリコントローラ８によって耐震用バッファメモリである記憶回路９に蓄積され、順次ＡＴＲＡＣ（Adaptive Transform  Acoustic Coding）変調・復調回路１０で復調され、ＤＡＣ（デジタル−アナログ変換器）１２によって、デジタル信号がアナログ信号に変換され、再生信号として出力端子１３に出力される。
【００１８】
また、記録信号は、記録入力端子１４からＡＤＣ（アナログ−デジタル変換器）１１に入力され、ＡＤＣ１１によって、アナログ信号がデジタル信号に変換される。次に、ＡＴＲＡＣ変調・復調回路１０で圧縮された圧縮データが耐震用メモリコントローラ８を介し、ＥＦＭ／ＡＣＩＲＣ変調復調回路７に入力され、ＥＦＭ／ＡＣＩＲＣ変調・復調回路で変調され、磁気ヘッド駆動回路１７に入力され、磁気ヘッド１６を介してＭＤ１に記録される。これら、耐震用メモリコントローラ８、ＥＦＭ／ＡＣＩＲＣ変調復調回路７、サーボ制御回路３は、マイクロコンピュータ等のシステムコントローラ１５で制御される。
【００１９】
また、ＤＡＴ（Digital Audio Tape）プレーヤ２０、ＣＤプレーヤ２１からのデジタル音声信号は、ＩＦ（インターフェースボード）２２を介して、ＡＴＲＡＣ変調・復調回路１０へ入力される。
【００２０】
編集の操作はシステムコントローラ１５と接続された操作部２３を介して行なわれ、記録再生時間情報、トラック情報等は、液晶表示装置等の表示装置１９に表示される。
【００２１】
次に、本実施例に用いられるＭＤ１の記録面の情報エリアに記録されるフォーマットについて説明する。図２はＭＤのＵＴＯＣの構成を示す説明図である。ＭＤの記録面の構成は、ＭＤの最内周位置１Ｂからリードインエリア（プリピットエリア）１Ｄ、ＵＴＯＣエリア１Ｅ、音声等を記録するためのユーザ記録領域１Ｆ及びリードアウトエリア１Ｈよりなり、ＭＤ１の最外周位置１Ｃに至っている。ユーザ記録領域１Ｆには、例えばトラック１〜６毎に右表に示すようなアドレスＡ〜Ｌが設けられ、ＵＴＯＣエリア１Ｅにはユーザ記録領域１Ｆに記録されたトラック（曲）のアドレスである目次情報を記録してある。また、ユーザ記録領域１Ｆより外側にはリードアウトエリア１Ｈがり、その開始位置を示すアドレスはＴＯＣに記録されている。
【００２２】
ＵＴＯＣエリアの詳細を図３で説明する。図３は、ＵＴＯＣエリア  セクター０のフォーマットを示す図である。図中において、ＦｉｒｓｔＴＮＯ  ３１は装置に装填し記録再生しようとするＭＤの最初のトラック番号を示し、ＬａｓｔＴＮＯ  ３２は最終トラック番号を示す。トラック番号は連続しているので、 ＭＤに記録されている総トラック数は次の式で求められる。
総トラック数＝（ＬａｓｔＴＮＯ）−（ＦｉｒｓｔＴＮＯ）＋１
最初のトラック番号は、通常１である。
【００２３】
Ｐ−ＦＲＡ  ３６には、ＭＤの記録可能なエリアのポインターが登録されている。また、ポインターとして登録された数字は、記録可能なエリアのパートスロットの先頭のパートスロット番号であり、パートスロット番号のパートにはＭＤの物理アドレスの情報が記録されている。同様にＰ−ＴＮＯ１  ３７、Ｐ−ＴＮＯ２  ３８、Ｐ−ＴＮＯ３  ３９には、各々異なるポインターが登録され、そのポインターで示されたパートスロット番号にはそれぞれの物理アドレスの情報が記録されている。
【００２４】
また、Ｐ−Ｅｍｐｔｙ  ４０のポインターには、空きエリア（後述）のパートスロットの先頭のパートスロット番号が登録されている。Ｐ−Ｅｍｐｔｙのポインターが０を登録している場合は空きエリアがないことを意味している。ここで、空きエリアとは、全パートスロットのうちＦｉｒｓｔＴＮＯ，ＬａｓｔＴＮＯのポインターで示される記録済みのパートスロットと、Ｐ−ＦＲＡのポインターで示す記録可能なエリアのパートスロットと、後述するＰ−ＤＦＡのポインターで示す欠陥エリアのパートスロットとを除いたパートスロットである。
【００２５】
Ｐ−Ｅｍｐｔｙの詳細について具体的な例で説明する。図９はＭＤの空きエリア（Ｐ−Ｅｍｐｔｙ）の説明図である。図９の（ａ）ではＰ−Ｅｍｐｔｙのポインターとして３が登録されている。次に、図９の（ｂ）では、パートスロット番号３に登録されている開始アドレスと終了アドレスである物理アドレスが登録されていないことを示す（don't care）が記載されている。また、パートスロット番号３からパートスロット番号２５５までのパートスロットが全てdon't careである。以上は、パートスロット番号３からパートスロット番号２５５までのエリアは物理アドレスが定義されていないエリアであることを示し、パートスロットのこのエリアを空きエリアと呼ぶ。
【００２６】
図３のＰ−Ｅｍｐｔｙ  ４０には、パートスロットの空きエリアの先頭のパートスロット番号がポインターとして登録されていることを述べたが、Ｐ−Ｅｍｐｔｙのポインターで示すパートスロット番号以降は未使用のパートスロットであることを意味している。この未使用のパートスロットは、新しくＭＤに記録したトラックの物理アドレスを格納したり、編集等で新たに物理アドレスを格納する場合に使用する。
【００２７】
Ｐ−ＤＦＡ  ４１には、ＭＤの情報エリアにデータを記録できないような欠陥がある欠陥エリアを指定するポインターが登録されている。Ｐ−ＤＦＡのポインターは欠陥エリアの物理アドレスの情報を記録したパートスロットを指定する。尚、ＭＤではパートスロットの総数は２５５に制限されている。
【００２８】
次に、本実施例の動作を具体的に説明する。既に第１トラックから第１００トラックまで記録された状態のＭＤに対し、第９９トラックを削除する場合を考える。図４は、第１００トラックまで記録されたＭＤの記録状態を示す図である。図５は、本発明の一実施例のＭＤ記録再生装置によって第９９トラックを削除した後のＭＤの記録状態を示す図である。図６は、第９９トラックを削除する前のＭＤのＵＴＯＣ管理の説明図である。図７は、本発明の一実施例のＭＤ記録再生装置によってトラック削除した後のＵＴＯＣ管理の説明図である。以下、図４から図７を用いて説明する。
【００２９】
図４において、図の左方向はディスク内周側、右方向はディスク外周側である。第１トラックから第９７トラックは、省略したため記載されていない。ディスクには、図４で示すとおり左側から順に第９８トラック、第９９トラック、および第１００トラックが順次記録され、第１００トラックより外側に次の記録可能なエリア１がある。図４で示すＭＤの記録状態に対応させたトラックの記録情報を管理するＵＴＯＣを説明した図が図６である。図６の（ａ）から分かるように、Ｆｉｒｓｔ  ＴＮＯはトラック１であり、Ｌａｓｔ  ＴＮＯはトラック１００である。Ｐ−ＦＲＡ（記録可能エリアを示す）がトラック１０１からであるので、ＭＤには合計１００トラックが記録された状態となっている。Ｐ−Ｅｍｐｔｙが１０２となっているのは、図６の（ｂ）に示すパートスロット番号の１０２から２５５までが、空いていることを示している。
【００３０】
Ｐ−ＦＲＡ（記録可能エリアを示す）は、パートスロット番号１０１に対するポインターである。実際の物理アドレスは図６の（ｂ）のパートスロット１０１で示すパートスロット位置に、開始アドレスがＰＴ１０１Ｓから開始し、終了アドレスＰＴ１０１Ｅで終了するエリアを示してある。これは、図４の記録可能エリア１に相当する。
【００３１】
また、Ｐ−ＤＦＡ（欠陥エリアを示す）は、０となっており、このＭＤには記録不可能な欠陥エリアが無いことを示している。また、Ｐ−ＴＮＯ１は１であり、パートスロット番号のポインターとなる。パートスロット１の詳細の内容として、ＭＤの物理アドレスを記録している。具体的には、図６の（ｂ）のように開始アドレスと終了アドレスを記録している。即ち、トラック１は、ＭＤの開始アドレスがＰＴ１Ｓから開始し、終了アドレスがＰＴ１Ｅで終了するトラックである。同様に、トラック２は、ＭＤの開始アドレスがＰＴ２Ｓから開始し、終了アドレスがＰＴ２Ｅで終了するトラックである。トラック３は、ＭＤの開始アドレスが、ＰＴ３Ｓから開始し、終了アドレスがＰＴ３Ｅで終了するトラックである。以下トラック４からトラック１００まで同様にパートスロットの先頭を示すポインターに対応したパートスロットにＭＤの物理アドレスが格納されている。
【００３２】
特に、トラック９８からトラック１００については、図４にＭＤの記録状態を具体的に記載した。即ち、トラック９８は、図６の（ｂ）のパートスロット番号９８で示された情報の開始アドレスが、ＰＴ９８Ｓから開始し、終了アドレスがＰＴ９８Ｅで終了するトラックであり、具体には、図４の第９８トラックと記載した部分である。また、９９トラックは、図６の（ｂ）のパートスロット番号９９で示された情報の開始アドレスが、ＰＴ９９Ｓから開始し、終了アドレスがＰＴ９９Ｅで終了するトラックであり、具体には、図４の第９９トラックと記載した部分である。同様に、１００トラックは、図６のパートスロット番号１００で示された情報の開始アドレスが、ＰＴ１００Ｓから開始し、終了アドレスがＰＴ１００Ｅで終了するトラックであり、具体には、図４の第１００トラックと記載した部分である。
【００３３】
また、前述したＰ−Ｅｍｐｔｙ情報で示された空きパートスロットの一群であるパートスロット番号の１０２から２５５までの開始アドレスと終了アドレスは、don't careであり、無視される内容である。
【００３４】
第１００トラックが記録された状態のＭＤから第９９トラックを削除する動作についてフローチャートを用いて説明する。
【００３５】
図８は、本発明の一実施例のＭＤ記録再生装置におけるトラック削除の動作を示すフローチャート図である。図８は、削除するトラック番号を決定し、操作キーにより削除する操作を行った後のトラックの削除とトラック番号を付する処理の手順を示している。はじめに、ステップＳ１で削除するトラックの番号を操作キーより入力することにより、削除するトラックのパートスロット番号を記憶部に記憶する。図６の（ａ）に示されたトラック分割前のＵＴＯＣ管理の説明図では、第９９トラックのパートスロット番号は９９であるので、ここでは９９という番号を記憶する。これは、後述する処理で利用するための動作である。
【００３６】
ステップＳ２では、ステップＳ１で得たパートスロット番号で示された物理アドレスから音声を再生する実時間を計算する。具体的には、終了アドレスから開始アドレスを減算したアドレス区間の大きさから音声再生の実時間を換算して求めることが可能である。この換算した時間を求めることにより、削除しようとした第９９トラックの音声再生の実時間を求める。
【００３７】
ＭＤの規格によれば、削除されるエリアが、所定の大きさとして６クラスタ（１２．２４ミリ秒）以上の場合には次の記録可能なエリアとして再利用することが出来るが、所定の大きさより小さい場合には記録可能なエリアとすることが出来ないとされている。
【００３８】
したがって、ステップＳ２で削除されるエリアに相当する時間を算出し、ステップＳ３で所定の大きさとその大小を比較し、所定の大きさ以上の場合にはステップＳ４へ移行し記録可能なエリアとしてＵＴＯＣ情報に追加する。また、削除されるエリアに相当する時間が所定の大きさより小さい場合にはステップＳ５へ移行する。
【００３９】
ステップＳ５では、削除するエリアを記録可能なエリアとしては登録することが出来ないので、削除するエリアの開始アドレス及び終了アドレスである物理アドレスは無効とし、このパートスロットを空いているパートスロットとしてＵＴＯＣ情報のＰ−Ｅｍｐｔｙに追加する。
【００４０】
第９９トラックのＰＴ９９ＳからＰＴ９９Ｅのエリアが前述の所定の値より大きいとした場合は、ＰＴ９９ＳからＰＴ９９Ｅのエリアは記録可能エリアととしてＵＴＯＣ情報に登録される。このときの記録状態を、第９９トラックを削除した後のＭＤ記録状態を示した図５と第９９トラックを削除した後のＵＴＯＣ管理の説明図である図７に示す。図４で示したトラック削除前の第９９トラックが、トラック削除後の状態では、図５で示す記録可能エリア２に変化していることが示されている。また、図７ではトラック削除前の第９９トラックの物理アドレスが記録可能なエリアとして残っていることを示している。
【００４１】
ステップＳ６では、ディスクのリードアウトエリアの位置に音声データが無音のデータで記録されているかどうかをチェックする。これは、第９９トラックのトラック削除後に、図７の（ａ）のＰＴ−ＴＮＯ９９のポインターが示すパートスロット番号の開始アドレスと終了アドレスに新規のアドレス情報としてリードアウトエリアの物理アドレスを割り当てるときに、通常の録音ではあり得ない記録トラックのデータが全て無音のデータとなっているかを確認して無音のデータが記録されていなければ無音のデータを記録する処理を行うためである。
【００４２】
ディスクのリードアウトエリアの位置に無音を記録し、記録可能エリアとみなしてその物理アドレスを利用する理由は、通常の記録では、リードアウトエリアを記録エリアとして使用することはないので、リードアウトエリアが必ず記録可能エリアとして利用できるという利点を利用するためである。
【００４３】
ステップＳ６で、リードアウトエリアに無音が記録されている場合には、ステップＳ８へ移行する。また、リードアウトエリアに無音が記録されていない場合には、ステップＳ７に移行し、リードアウトエリアの位置に無音を記録する。記録する時間は、ＭＤシステムのトラックの最大番号２５５を考慮しても約１秒である。
【００４４】
第９９トラックの新規の物理アドレスとして、再生時間が最小時間となる１トラックあたり１サウンドグループに相当する物理アドレスを設定する。１サウンドグループとは、圧縮データを復調して実際の再生時間に換算すると１１．６ミリ秒である。ＭＤの規格では、１サウンドグループがトラックの再生時間が最小となる実時間である。従って、２５５トラック分を用意するには、２５５サウンドグループとなり、これを記録するには２クラスタ分を必要とする。１クラスタは、ディスクへ記録するデータの最小の単位のデータブロックであり、１７６サウンドグループからなるので、リードアウトエリアに記録する無音データは２クラスタが必要となる。１クラスタを記録するには、約５００ミリ秒必要となるので２クラスタ記録するには約１秒を要する。
【００４５】
リードアウトエリアに無音が記録されていない場合は、リードアウトエリアに無音を記録する時間が余分にかかることになるが、光ピックアップがリードアウトエリア位置へ移動するためのサーチ時間を含めても３秒未満であり特に問題とはならない。また、上記動作はＭＤ一枚に対して一度のみ実施すれば良く実用上の問題はない。
【００４６】
リードアウトエリアに無音を記録したか否かの情報を光ディスク自体に記憶しておくことにより、リードアウトエリアへの無音データの記録または再生の処理を容易にする効果を出すことができる。
【００４７】
例えば、図３に示したＵＴＯＣの記録部の番号４２の位置に、リードアウトエリアに無音データを記録したか否かの情報を記録しておく方法がある。リードアウトエリアに無音データを記録していない場合は、セクター０の番号４２の位置に００Ｈ（１６進）を記録し、無音データを記録した場合は、セクター０の番号４２の位置に０１Ｈ（１６進）を記録する。ＭＤ記録再生装置は、ＭＤを挿入したときに、必ずＵＴＯＣ情報を読み込むのでリードアウトエリアに無音データが記録されているかどうかの情報を得ることは容易である。
【００４８】
次に、ステップＳ８では 、第９９トラックに新たに付された開始アドレスと終了アドレスを、空いているパートスロット番号のパートに登録する。
【００４９】
例えば、第９９トラックに新たに付された開始アドレスをＭＵＴＥＰ９９Ｓとし、終了アドレスをＭＵＴＥ９９Ｅとすると、トラック削除後のＵＴＯＣ管理の説明図である図７の（ｂ）に示されたパートスロット番号１０２に新しいパートの情報として上記アドレスを登録する。
【００５０】
ステップＳ９では、削除したトラックのパートスロットであるＰ−ＴＮＯ９９のポインターである９９をステップＳ８で作成したパートスロット番号である１０２に書き替える。つまり、書き換えられたパートスロットＰ−ＴＮＯ９９のパートの開始アドレスと終了アドレスは、リードアウトエリアに無音データを記録したエリアの開始アドレスと終了アドレスに変更される。
【００５１】
第９９トラックは、トラック削除する前はＰＴ９９ＳからＰＴ９９Ｅの物理アドレスを持つエリアであったが、トラック削除した後はＭＵＴＥＰＴ９９ＳからＭＵＴＥＰＴ９９Ｅの物理アドレスを持つエリアとして新しく更新されている。上述したように、ＭＵＴＥＰＴ９９ＳからＭＵＴＥＰＴ９９Ｅの間のエリアは１サウンドグループに相当するデータが記録され、音声再生の実時間として１１．６ミリ秒である。
【００５２】
第９９トラックを削除した後のＭＤの記録トラックの記録状態を示す図５によると、第９９トラックは、ＭＤのリードアウトエリアの位置になる。また、ＵＴＯＣの記録状態を示す図７によると、パートスロットＰ−ＴＮＯ９９のポインターが９９から１０２に更新されている。また、ポインター９９に相当するパートスロット番号のＭＤのアドレス（開始アドレス−終了アドレス）は（PT00S-PT99E）から（MUTEP99S-MUTEP99E）に更新されている。
【００５３】
以上の説明した動作によって、第９９トラックは、再生の実時間が最小となるトラック（１１．６ミリ秒）になるだけで、第９９トラック以外の他のトラックの番号が、従来技術のように変わってしまうこともない。したがって、記録再生装置の操作上の手違いで、第９９トラックを再生しても音声が無音で且つ１１．６ミリ秒と非常に短いために全く問題はない。
【００５４】
また、図示してはいないが、従来技術のように第９９トラックの番号そのものを削除するトラック削除の手段と、本実施例で説明したように削除するトラックの物理アドレスを入れ替えるようにしたトラック削除の手段とを選択可能な構成とした記録再生装置とすることは容易である。また、図１に示す操作部２３と表示装置１９を使用して、上記二つのトラック削除の手段を選択する操作と選択した状態を確認できるようにすれば本実施例の記録再生装置の操作性はより良好となる。
【００５５】
尚、本実施例では、ＭＤを取り上げて説明したが、半導体メモリ装置やＨＤＤ（ハードディスク）装置またはＤＶＤ−ＲＡＭ（Digital Versatile Disc-Random Access Memory）等の他の記録媒体に記録、再生する記録再生装置でも利用することが出来る。
【００５６】
【発明の効果】
本発明により、トラックを削除する場合において、削除するトラック以外のトラック番号が変わることがないので、次に削除するトラックの曲の内容を確認する必要がなく、容易にトラックを削除することができようにしたため、従来技術と較べ、効率的且つ、操作性を向上した記録再生装置を得ることができる。
【図面の簡単な説明】
【図１】本発明の一実施例の記録再生装置を示すＭＤ記録再生装置の系統図である。
【図２】ＭＤのＵＴＯＣの説明図である。
【図３】ＭＤのＵＴＯＣセクター０のフォーマットの説明図である。
【図４】第１００トラックまで記録されたＭＤの記録状態を示す図である。
【図５】本実施例のＭＤ記録装置によって第９９トラックを削除した後のＭＤの記録状態を示す図である。
【図６】第９９トラックを削除する前のＭＤのＵＴＯＣ管理の説明図である。
【図７】本実施例のＭＤ記録装置によって第９９トラックを削除した後のＭＤのＵＴＯＣ管理の説明図である。
【図８】本実施例のＭＤ記録装置のトラック削除の動作を示すフローチャート図である。
【図９】ＭＤの空きエリア（Ｐ−Ｅｍｐｔｙ）の説明図である。
【符号の説明】
１            ＭＤ（光磁気ディスク）
１Ａ          カートリッジ
２            プレーヤ
２Ａ          スピンドルモータ
２Ｂ          ターンテーブル
３            サーボ制御回路
４            光ピックアップ
５            ヘッドアンプ
６            アドレスレコーダ
７            EFM/CIRC変調・復調回路
８            耐震用メモリコントローラ
９            記憶回路（バッファメモリ）
１０          ＡＴＲＡＣ変調・復調回路
１１          ＡＤＣ
１２          ＤＡＣ
１３          再生回路
１４          記録入力信号
１５          システムコントローラ
１６          記録ヘッド
１７          ヘッド駆動回路
１８          スライドモータ
１９          表示装置
２０          ＤＡＴプレーヤ
２１          ＣＤプレーヤ
２２          ＩＦ
２３          操作部
【図１】
0003682507.tif 000002
【図２】
0003682507.tif 000003
【図３】
0003682507.tif 000004
【図４】
0003682507.tif 000005
【図５】
0003682507.tif 000006
【図６】
0003682507.tif 000007
【図７】
0003682507.tif 000008
【図８】
0003682507.tif 000009
【図９】
0003682507.tif 000010